(57)【要約】    【課題】高齢者に負担や圧迫感を与えずに安否の確認を容易として、当該システムの普及を図る。    【解決手段】住居１に備えられた監視カメラ１０にて撮像される画像として高齢者Ｈ1の画像ではなく、その高齢者が世話をしているペットＰ1a、植木Ｐ1b等の動植物Ｐ1の画像を適用し、撮像された画像データが異常であると判断した場合には高齢者も異常であると推測し、ネットワーク４を介して管理センター２および／または動物病院３ａ、花屋３ｂ等のアドバイサー３に通報する。    【選択図】図１
2005267495.tif 000002
【特許請求の範囲】
【請求項１】
高齢者（Ｈ1）が居住する住居（１）と管理センター（２）および／またはオペレータ（３）とがネットワーク（４）を介して構成され、
前記住居には、前記ネットワークと通信するための主装置（１２）と、前記主装置を介して使用される電話（１１）と、前記高齢者とともに存在する前記住居内のペット（Ｐ1a）、植木（Ｐ1b）等の動植物（Ｐ1）を監視するための監視カメラ（１０）とを備え、
前記主装置は、前記監視カメラにて前記動植物を監視した結果を前記オペレータとして前記ペットを監視するための動物病院（３ａ）、前記植木を監視するための花屋（３ｂ）等のアドバイサーと前記ネットワークを介して通信することにより前記高齢者の安否を確認することを特徴とする安否確認システム。
【請求項２】
前記監視カメラにて撮像された前記ペット、前記植木等の動植物の画像を前記主装置に送出し、前記主装置が異常と判断した場合、前記ネットワークを介して前記管理センターに通報を行うことを特徴とする請求項１記載の安否確認システム。
【請求項３】
前記監視カメラにて撮像された前記ペット、前記植木等の動植物の画像を前記主装置に送出し、前記主装置が異常と判断した場合、前記ネットワークを介して前記動物病院、前記花屋等のアドバイサーに通報を行うことを特徴とする請求項１記載の安否確認システム。
【請求項４】
前記監視カメラにて撮像された前記ペット、前記植木等の動植物の画像を前記主装置を介して前記管理センターが異常と判断した場合、前記ネットワークを介して前記高齢者に通報を行うことを特徴とする請求項１記載の安否確認システム。
【請求項５】
前記監視カメラにて撮像された前記ペット、前記植木等の動植物の画像を前記ネットワークを介して前記動物病院、前記花屋等のアドバイサーに配信し、前記異常な状態を遠隔監視して前記高齢者の安否を確認するとともに前記ペット、前記植木等の動植物に対するアドバイスを行うことを特徴とする請求項１記載の安否確認システム。
【発明の詳細な説明】
【技術分野】
【０００１】
本発明は安否確認システムに係わり、特に、高齢者に負担や圧迫感を与えずに安否を確認することができる安否確認システムに関する。
【背景技術】
【０００２】
従来から、高齢者の安否を確認することができる安否確認システムとして、図２のシステム説明図に示す構成の安否確認システムが提案されている。
【０００３】
図２のシステム説明図に示す安否確認システムは、高齢者Ｈ101が居住する住居１０１に備えられる監視カメラ１１０、電話機１１１および当該監視カメラ、当該電話機にそれぞれ接続された主装置１１２と、高齢者Ｈ101の安否を管理し、異常であると判断した場合には外線呼び出しを行ったり、自動車等を利用して住居１０１へと駆け付けて迅速な対応を図るための管理センター１０２と、住居１０１に備えられた主装置１１２および管理センター１０２の間の通信網を形成する一般電話回線やインターネット網等のネットワーク１０３とから構成されている。
【０００４】
このように構成された従来例の安否確認システムにおいて、住居１０１に備えられた監視カメラ１１０は、高齢者Ｈ101を所定のエリアの範囲内で監視し、常時または定期的に高齢者Ｈ101の画像を撮像する。この画像データは、監視カメラ１１０から主装置１１２、ネットワーク１０３を介して管理センター１０２へと伝送され、当該管理センターに出画される。
【０００５】
また、管理センター１０２の人物は、監視カメラ１１０にて撮像された画像データをもとに高齢者Ｈ101の安否が異常であると判断した場合、ネットワーク１０３、主装置１１２を介して電話機１１１へと外線呼び出しを行ったり、必要に応じて自動車等を利用して住居１０１へと駆け付けることにより迅速な対応が図れる。
【０００６】
なお、従来例の安否確認システムについて、開示すべき先行技術の情報はない。
【発明の開示】
【発明が解決しようとする課題】
【０００７】
しかしながら、従来例の安否確認システムにおいて、住居１０１に備えられた監視カメラ１１０は、高齢者Ｈ101の画像を常時または定期的に撮像しなければならず当該高齢者に対する配慮がなく、身体が不自由とされる高齢者Ｈ101の場合、バイタルセンサーを取り付けて健康確認を行うなど当該高齢者に負担や圧迫感を与えていたため、当該システムの普及が大きく妨げられていた。
【０００８】
本発明は、上述の難点を解消するためになされたもので、住居に備えられた監視カメラにて撮像される画像として高齢者が世話をしているペット、植木等の動植物の画像を適用し、撮像された画像データをもとに高齢者の安否を推測することにより、高齢者に負担や圧迫感を与えずに当該システムの普及を図ることができる安否確認システムを提供することを目的としている。
【課題を解決するための手段】
【０００９】
上述の目的を達成するため、本発明の安否確認システムは、高齢者が居住する住居と管理センターおよび／またはオペレータとがネットワークを介して構成され、住居には、ネットワークと通信するための主装置と、主装置を介して使用される電話と、高齢者とともに存在する住居内のペット、植木等の動植物を監視するための監視カメラとを備えている。主装置は、監視カメラにて動植物を監視した結果をオペレータとしてペットを監視するための動物病院、植木を監視するための花屋等のアドバイサーとネットワークを介して通信することにより高齢者の安否を確認するものである。
【００１０】
また、本発明の安否確認システムは、監視カメラにて撮像されたペット、植木等の動植物の画像を主装置に送出し、主装置が異常と判断した場合、ネットワークを介して管理センターに通報を行うものである。
【００１１】
また、本発明の安否確認システムは、監視カメラにて撮像されたペット、植木等の動植物の画像を主装置に送出し、主装置が異常と判断した場合、ネットワークを介して動物病院、花屋等のアドバイサーに通報を行うものである。
【００１２】
また、本発明の安否確認システムは、監視カメラにて撮像されたペット、植木等の動植物の画像を主装置を介して管理センターが異常と判断した場合、ネットワークを介して高齢者に通報を行うものである。
【００１３】
また、本発明の安否確認システムは、監視カメラにて撮像されたペット、植木等の動植物の画像をネットワークを介して動物病院、花屋等のアドバイサーに配信し、異常な状態を遠隔監視して高齢者の安否を確認するとともにペット、植木等の動植物に対するアドバイスを行うものである。
【発明の効果】
【００１４】
本発明の安否確認システムによれば、住居に備えられた監視カメラにて撮像される画像として高齢者の画像ではなく、その高齢者が世話をしているペット、植木等の動植物の画像を適用し、撮像された画像データが異常であると判断した場合には高齢者の安否も異常であると推測し、ネットワークを介して管理センターおよび／または動物病院、花屋等のアドバイサーに通報することにより、高齢者に負担や圧迫感を与えずに当該システムの普及が図れる。
【００１５】
また、本発明の安否確認システムによれば、監視カメラにて撮像されたペット、植木等の動植物の画像データが異常であると判断した管理センターは、その旨を高齢者に通報することができる。
【００１６】
さらに、本発明の安否確認システムによれば、監視カメラにて撮像されたペット、植木等の動植物の画像データが異常であると判断した動物病院、花屋等のアドバイサーは、監視カメラを遠隔操作して高齢者の安否を詳細に確認することができるばかりでなく、ペット、植木等の動植物に対するアドバイスを高齢者に行うことができる。
【発明を実施するための最良の形態】
【００１７】
以下、本発明の安否確認システムを適用した最良の実施の形態例について、図面を参照して説明する。
【００１８】
図１は、本発明の実施例による安否確認システムの構成を示すシステム説明図である。
【００１９】
図１のシステム説明図に示す安否確認システムは、高齢者Ｈ1が居住し、当該高齢者とともにペットＰ1a、植木Ｐ1b等の動植物Ｐ1が存在する住居１と、高齢者Ｈ1の安否をペットＰ1a、植木Ｐ1b等の動植物Ｐ1の画像データをもとに推測し、異常であると判断した場合には外線呼び出しを行ったり自動車等を利用して住居１へと駆け付け迅速な対応を図るための管理センター２および／または動植物Ｐ1をなすペットＰ1aを監視し、必要に応じて住居１に備えられた後述する監視カメラ１０を遠隔操作したり高齢者Ｈ1にアドバイスを行うオペレータ３としてのアドバイザーをなす動物病院３ａ、動植物Ｐ1をなす植木Ｐ1bを監視し、必要に応じて住居１に備えられた後述する監視カメラ１０を遠隔操作したり高齢者Ｈ1にアドバイスを行うオペレータ３としてのアドバイザーをなす花屋３ｂ等と、住居１に備えられた後述する主装置１２と管理センター２および／またはオペレータ３としてのアドバイザーをなす動物病院３ａ、花屋３ｂ等との間の通信網を形成する、例えば、一般電話回線やインターネット網等のネットワーク４とから構成されている。
【００２０】
また、住居１には、所定のエリアの範囲内において、高齢者Ｈ1が世話をしているペットＰ1a、植木Ｐ1b等の動植物Ｐ1の様子を監視し、画像（画像データ）を撮像するための監視カメラ１０と、高齢者Ｈ1が外線呼び出しを行う、または管理センター２および／またはオペレータ３としてのアドバイザーをなす動物病院３ａ、花屋３ｂ等からの外線呼び出しが通報され、呼出元または呼出先の高齢者Ｈ1が通話を成立させるための電話機１１と、監視カメラ１０およびネットワーク４の間の通信、電話機１１およびネットワーク４の間の通信をそれぞれ行い、監視カメラ１０にて撮像された画像データが異常であるか否かを判断するための主装置１２とが備えられている。
【００２１】
このように構成された本発明の実施例による安否確認システムにおいて、以下、具体的な動作について説明する。
【００２２】
図１のシステム説明図において、住居１に備えられた監視カメラ１０は、高齢者Ｈ1が世話をしているペットＰ1a、植木Ｐ1b等の動植物Ｐ1を所定のエリアの範囲内で監視し、常時または定期的にペットＰ1a、植木Ｐ1b等の動植物Ｐ1の画像を撮像する。この画像データは、監視カメラ１０から主装置１２へと伝送される。
【００２３】
主装置１２は、監視カメラ１０にて撮像された画像データが異常であると判断した場合、先ず、ペットＰ1aが異常な状態である、例えば、高齢者Ｈ1により餌や水が与えられず衰弱している場合、監視カメラ１０にて撮像された画像データの伝送先として管理センター２を特定するためのアドレスおよび／またはオペレータ３としてのアドバイザーをなす動物病院３ａを特定するためのアドレスを当該画像データに付加させてネットワーク４に出力する。この画像転送データは、ネットワーク４を介して管理センター２および／またはオペレータ３としてのアドバイザーをなす動物病院３ａ、花屋３ｂ等へとそれぞれ伝送される。
【００２４】
また、管理センター２は、主装置１２からの画像転送データに付加されているアドレスが自センターに割り当てられていると判断し、監視カメラ１０にて撮像されたペットＰ1aの画像データを出画させる。この画像データをもとに高齢者Ｈ1の安否が異常であると推測した管理センター２の人物は、ネットワーク４、主装置１２を介して電話機１１へと外線呼び出しを行い、ペットＰ1aが異常な状態である旨を高齢者Ｈ1に通報したり、必要に応じて自動車等を利用して住居１へと駆け付けることにより迅速な対応が図れる。
【００２５】
さらに、オペレータ３としてのアドバイザーをなす動物病院３ａ、花屋３ｂ等は、それぞれ主装置１２からの画像転送データに付加されているアドレスと自オペレータに割り当てられているアドレスとを照合し、一致が検出された場合にのみ監視カメラ１０にて撮像されたペットＰ1aの画像データを出画させる。ここでは、オペレータ３としてのアドバイザーをなす動物病院３ａのみ当該アドレスが一致し、監視カメラ１０にて撮像されたペットＰ1aの画像データが出画される。この画像データをもとに高齢者Ｈ1の安否が異常であると推測した動物病院２の人物、例えば、獣医師は、ネットワーク４、主装置１２を介して監視カメラ１０を遠隔操作してペットＰ1aのみならず高齢者Ｈ1の安否を詳細に確認することができるばかりでなく、上述のネットワーク４、主装置１２を介して電話機１１へと外線呼び出しを行い、ペットＰ1aに対するアドバイスを高齢者Ｈ1に通報したり、必要に応じて自動車等を利用して住居１へと駆け付けることにより迅速な対応が図れる。
【００２６】
一方、監視カメラ１０にて撮像された画像データが異常であると主装置１２が判断した場合、ここでは、植木Ｐ1bが異常な状態である、例えば、高齢者Ｈ1により水や肥料が与えられず枯れている場合には、監視カメラ１０にて撮像された画像データの伝送先として管理センター２を特定するためのアドレスおよび／またはオペレータ３としてのアドバイザーをなす花屋３ｂを特定するためのアドレスを当該画像データに付加させてネットワーク４に出力する。この画像転送データは、ネットワーク４を介して管理センター２および／またはオペレータ３としてのアドバイザーをなす動物病院３ａ、花屋３ｂ等へとそれぞれ伝送される。
【００２７】
また、管理センター２は、主装置１２からの画像転送データに付加されているアドレスが自センターに割り当てられていると判断し、監視カメラ１０にて撮像された植木Ｐ1bの画像データを出画させる。この画像データをもとに高齢者Ｈ1の安否が異常であると推測した管理センター２の人物は、ネットワーク４、主装置１２を介して電話機１１へと外線呼び出しを行い、植木Ｐ1bが異常な状態である旨を高齢者Ｈ1に通報したり、必要に応じて自動車等を利用して住居１へと駆け付けることにより迅速な対応が図れる。
【００２８】
さらに、オペレータ３としてのアドバイザーをなす動物病院３ａ、花屋３ｂ等は、それぞれ主装置１２からの画像転送データに付加されているアドレスと自オペレータに割り当てられているアドレスとを照合し、一致が検出された場合にのみ監視カメラ１０にて撮像された植木Ｐ1bの画像データを出画させる。ここでは、オペレータ３としてのアドバイザーをなす花屋３ｂのみ当該アドレスが一致し、監視カメラ１０にて撮像された植木Ｐ1bの画像データが出画される。この画像データをもとに高齢者Ｈ1の安否が異常であると推測した花屋３ｂの人物、例えば、店員は、ネットワーク４、主装置１２を介して監視カメラ１０を遠隔操作して植木Ｐ1bのみならず高齢者Ｈ１の安否を詳細に確認することができるばかりでなく、上述のネットワーク４、主装置１２を介して電話機１１へと外線呼び出しを行い、植木Ｐ1bに対するアドバイスを高齢者Ｈ1に通報したり、必要に応じて自動車等を利用して住居１へと駆け付けることにより迅速な対応が図れる。
【００２９】
なお、本発明の実施例では、ペットＰ1a、植木Ｐ1b等の動植物Ｐ1の画像データが異常な状態である旨の通報を、管理センター２および／またはオペレータ３としてのアドバイザーをなす動物病院３ａ、花屋３ｂ等にて行うにあたり、監視カメラ１０にて撮像された画像データの出画の視覚的な報知手段を適用して通報させたが、この視覚的な報知手段のみならず、警報音（音声メッセージを含む）の発報等の聴覚的な報知手段を用いて通報することもできる。
【図面の簡単な説明】
【００３０】
【図１】本発明の実施例による安否確認システムの構成を示すシステム説明図。
【図２】従来例の安否確認システムの構成を示すシステム説明図。
【符号の説明】
【００３１】
１……住居
１０……監視カメラ
１１……電話機
１２……主装置
Ｈ1……高齢者
Ｐ1……動植物
Ｐ1a……ペット
Ｐ1b……植木
２……管理センター
３……オペレータ
３ａ……動物病院
３ｂ……花屋
４……ネットワーク
【図１】
2005267495.tif 000003
【図２】
2005267495.tif 000004